(57)【要約】【課題】表出した情報を見にくくすることなく、シート上に付与された隠蔽情報を確実に隠蔽するとともに、多くの情報を伝達する。【解決手段】宛先情報を印字するための宛先情報印字領域１３が一方の面に設けられた宛先情報記載片１０と、宛先情報記載片１０が貼着された隠蔽情報記載片２０とを折り畳んで隠蔽情報記載片２０の第１紙片部２１ａと第２紙片部２１ｂとを剥離可能に貼着した場合に、隠蔽情報記載片２０に印字された明細情報が、隠蔽情報記載片２０に設けられた遮光印刷層２３に挟まれるような構成とするとともに、互いに貼着された宛先情報記載片１０と隠蔽情報記載片２０とを一部剥離可能とする。【選択図】図１
2008055678.tif 000002
【特許請求の範囲】
【請求項１】
互いに貼着された第１及び第２のシートを有し、前記第１及び第２のシートはそれぞれ、第１紙片部と第２紙片部とが折り畳み可能に連接して構成され、前記第１紙片部どうし及び前記第２紙片部どうしが重ね合わされるように前記第１のシートと前記第２のシートとが貼着され、前記第１のシートが内側となるように折り畳むことによって前記第１のシートに付与された隠蔽情報を隠蔽する隠蔽シートであって、
前記第１のシートは、折り畳み状態内側となる面に、前記隠蔽情報が付与される隠蔽情報付与領域が設けられるとともに、貼着後の剥離が可能な接着構造を有し、
前記第２のシートは、折り畳み状態外側となる面のうち、前記第１紙片部に表示情報が付与される表示情報付与領域が設けられ、
前記第２紙片部において前記第１のシートの折り畳み状態内側となる面よりも折り畳み状態外側に設けられ、前記第２のシートの前記第２紙片部側から前記第１及び第２のシートを透かしての前記隠蔽情報の判読を不可能とする第１の隠蔽構造と、
前記第１紙片部において前記第１のシートの折り畳み状態内側となる面と前記第２のシートの前記表示情報付与領域が設けられた面との間に設けられ、前記表示情報付与領域が設けられた面側から前記第１及び第２のシートを透かしての前記隠蔽情報の判読を不可能とする第２の隠蔽構造とを有し、
前記第１のシートと前記第２のシートとは、前記第１紙片部と前記第２紙片部のいずれか一方が互いに剥離可能である隠蔽シート。
【発明の詳細な説明】
【技術分野】
【０００１】
本発明は、シート上に付与された情報を隠蔽する隠蔽シートに関する。
【背景技術】
【０００２】
近年、情報化社会の進展に伴って、情報を用いた手続きや処理が一般化している。その中で、このように手続きや処理に用いられる情報が不正あるいは偶発的に取得され、悪用されるケースが多発している。
【０００３】
そのため、情報の不用意な流通を避けることが要求されており、例えば、情報を伝達するはがきにおいては、表面に宛先情報が記載されるとともにその裏面に隠蔽情報が記載されたはがき片と、一方の面に地紋が印刷された隠蔽片とが折り畳み可能に連接し、このはがき片と隠蔽片とが剥離可能に貼着される情報隠蔽はがきが考えられている（例えば、特許文献１参照。）。この情報隠蔽はがきにおいては、はがき片の隠蔽情報が記載された面が内側となるように折り畳まれてはがき片と隠蔽片とが剥離可能に貼着されることにより、はがき片に記載された隠蔽情報が隠蔽され、さらに、隠蔽片に印刷された地紋によって隠蔽情報を透かして見ることを困難としている。
【特許文献１】特開平１０−２６４５５９号公報
【発明の開示】
【発明が解決しようとする課題】
【０００４】
しかしながら、上述したようにはがき片と隠蔽片とが折り畳み可能に連接した情報隠蔽はがきにおいては、隠蔽片が剥離可能に貼着された面側からは、隠蔽情報は地紋によって透かして見ることが困難となるものの、はがき片側からは隠蔽情報が透かして見られてしまう虞れがあり、隠蔽情報を確実に隠蔽できるとは言いがたい。そこで、はがき片と隠蔽片とが折り畳まれた場合に地紋に隠蔽情報が挟まれるように地紋を印刷することが考えられるが、その場合、はがき片の宛先情報が記載された面に地紋を印刷することになり、宛先情報が見にくくなって好ましくない。
【０００５】
また、はがき片の一方の面に隠蔽片が貼着された状態では、情報隠蔽はがきの送付先に多くの情報を伝達することができないという問題点がある。
【０００６】
本発明は、上述したような従来の技術が有する問題点に鑑みてなされたものであって、表出した情報を見にくくすることなく、シート上に付与された隠蔽情報を確実に隠蔽することができ、かつ多くの情報を伝達することができる隠蔽シートを提供することを目的とする。
【課題を解決するための手段】
【０００７】
上記目的を達成するために本発明は、
互いに貼着された第１及び第２のシートを有し、前記第１及び第２のシートはそれぞれ、第１紙片部と第２紙片部とが折り畳み可能に連接して構成され、前記第１紙片部どうし及び前記第２紙片部どうしが重ね合わされるように前記第１のシートと前記第２のシートとが貼着され、前記第１のシートが内側となるように折り畳むことによって前記第１のシートに付与された隠蔽情報を隠蔽する隠蔽シートであって、
前記第１のシートは、折り畳み状態内側となる面に、前記隠蔽情報が付与される隠蔽情報付与領域が設けられるとともに、貼着後の剥離が可能な接着構造を有し、
前記第２のシートは、折り畳み状態外側となる面のうち、前記第１紙片部に表示情報が付与される表示情報付与領域が設けられ、
前記第２紙片部において前記第１のシートの折り畳み状態内側となる面よりも折り畳み状態外側に設けられ、前記第２のシートの前記第２紙片部側から前記第１及び第２のシートを透かしての前記隠蔽情報の判読を不可能とする第１の隠蔽構造と、
前記第１紙片部において前記第１のシートの折り畳み状態内側となる面と前記第２のシートの前記表示情報付与領域が設けられた面との間に設けられ、前記表示情報付与領域が設けられた面側から前記第１及び第２のシートを透かしての前記隠蔽情報の判読を不可能とする第２の隠蔽構造とを有し、
前記第１のシートと前記第２のシートとは、前記第１紙片部と前記第２紙片部のいずれか一方が互いに剥離可能である。
【０００８】
上記のように構成された本発明においては、第２のシートの表示情報付与領域に表示情報が付与されるとともに、第１のシートの隠蔽情報付与領域に隠蔽情報が付与された後、隠蔽情報付与領域が設けられた面が内側となるように第１及び第２のシートが折り畳まれ、第１のシートに設けられた接着構造によって第１紙片部と第２紙片部とが剥離可能に貼着される。すると、第２のシートの表示情報付与領域に付与された表示情報が表出するとともに、第１のシートの隠蔽情報付与領域に付与された隠蔽情報が第１のシートと第２のシートによって隠蔽された状態となる。この際、第２紙片部においては、第１のシートの折り畳み状態内側となる面よりも折り畳み状態外側に第１の隠蔽構造が設けられているため、第２のシートの第２紙片部側から透かされた場合であっても、この第１の隠蔽構造によって第１のシートの隠蔽情報付与領域に付与された隠蔽情報が透かして判読されることが防止される。また、第２のシートの第１紙片部側から透かされた場合は、第１のシートの折り畳み状態内側となる面と第２のシートの表示情報付与領域が設けられた面との間に設けられた第２の隠蔽構造によって第１のシートの隠蔽情報付与領域に付与された隠蔽情報が第１及び第２のシートを透かして判読されることが防止されることになる。その際、第２のシートの表示情報付与領域が設けられた面には、隠蔽情報付与領域に付与された隠蔽情報を隠蔽するための隠蔽構造が設けられていないため、表示情報付与領域に付与された表示情報が見にくくなることがない。そして、第１のシートと第２のシートとは、第１紙片部と第２紙片部のいずれか一方が互いに剥離可能であるため、剥離可能に貼着された面に所望の情報を付与することができる。
【発明の効果】
【０００９】
以上説明したように本発明においては、第１紙片部において第１のシートの折り畳み状態内側となる面と第２のシートの表示情報付与領域が設けられた面との間に設けられた第２の隠蔽構造によって、第２のシートの第１紙片部側から透かされた場合であっても、第２のシートの表示情報付与領域に付与された表示情報を見にくくすることなく、第１のシートの隠蔽情報付与領域に付与された隠蔽情報を隠蔽することができ、また、第２のシートの第２紙片部側から透かされた場合であっても、第２紙片部において第１のシートの折り畳み状態内側となる面よりも折り畳み状態外側に設けられた第１の隠蔽構造によって隠蔽情報を隠蔽することができる。また、第１のシートと第２のシートとは、第１紙片部と第２紙片部のいずれか一方が互いに剥離可能であるため、剥離可能に貼着された面に所望の情報を付与することにより多くの情報を伝達することができる。
【発明を実施するための最良の形態】
【００１０】
以下に、本発明の実施の形態について図面を参照して説明する。
【００１１】
（第１の実施の形態）
図１は、本発明の隠蔽シートの第１の実施の形態となる隠蔽はがきを示す図であり、（ａ）は積層構造を示す図、（ｂ）は（ａ）に示したＡ−Ａ’断面図である。図２は、図１に示した宛先情報記載片１０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。図３は、図１に示した隠蔽情報記載片２０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【００１２】
本形態は図１に示すように、第１のシートである隠蔽情報記載片２０と、第２のシートである宛先情報記載片１０とが、粘着力が互いに異なる２種類の粘着剤３０ａ，３０ｂによって貼着されて構成されている。粘着剤３０ａは、宛先情報記載片１０と隠蔽情報記載片２０とを貼着した後に人手によって剥離しようとした場合に、宛先情報記載片１０や隠蔽情報記載片２０に紙むけ等が生じる程度に強い粘着力を有するものであり、また、粘着剤３０ｂは、圧力により自己のみが貼着可能な自己貼着性を有し、貼着後の剥離が可能なものである。
【００１３】
宛先情報記載片１０は図１及び図２に示すように、第１紙片部１１ａと第２紙片部１１ｂとが折り部１２を介して折り畳み可能に連接して構成されており、第１紙片部１１ａの折り畳み状態外側となる面には、この隠蔽はがきの送付先の住所や氏名等を示す表示情報となる宛先情報を印字するため表示情報付与領域である宛先情報印字領域１３が設けられており、第１紙片部１１ａの折り畳み状態内側となる面には、この隠蔽はがきの送付先によらずに共通な広告情報１４が掲載されるとともに、その全面に粘着剤３０ｂが塗布されている。また、第２紙片部１１ｂの折り畳み状態内側となる面の全面に粘着剤３０ａが塗布されている。なお、折り部１２はミシン目や折り線等によって構成される。
【００１４】
隠蔽情報記載片２０は図１及び図３に示すように、第１紙片部２１ａと第２紙片部２１ｂとが折り部２２を介して折り畳み可能に連接して構成されており、折り畳み状態内側となる面には、この隠蔽はがきの送付先に隠蔽状態にて通知する隠蔽情報となる明細情報を印字するための隠蔽情報付与領域となる明細情報印字領域２５が設けられるとともに、その全面に圧力により自己のみが貼着可能な自己貼着性を有する粘着剤３０ｃが塗布され、折り部２２を介して折り畳んで加圧することにより第１紙片部２１ａと第２紙片部２１ｂとが互いに剥離可能に貼着される接着構造が形成されている。なお、折り部２２はミシン目や折り線等によって構成される。折り畳み状態外側となる面には、外周を除く全面に隠蔽構造となる遮光印刷層２３が形成されている。遮光印刷層２３は、例えば、カーボンブラック等の遮光性を有する黒色系塗料が隠蔽情報記載片２０上に塗工されることにより形成することが考えられる。また、黒色系塗料ではなく濃色の塗料を塗工することにより遮光印刷層２３を形成してもよく、その塗料の塗工の方法は、版に塗料を付けて行う一般的な印刷や、スクリーン印刷等、適宜の方法を用いて行うことが考えられる。この遮光印刷層２３のうち、第１紙片部２１ａに形成された部分が第２の隠蔽構造となり、第２紙片部２１ｂに形成された部分が第１の隠蔽構造となる。それにより、第１の隠蔽構造が、第２紙片部１１ｂ，２１ｂにおいて隠蔽情報記載片２０の折り畳み状態内側となる面よりも折り畳み状態外側に設けられ、また、第２の隠蔽構造が、第１紙片部１１ａ，２１ａにおいて隠蔽情報記載片２０の折り畳み状態内側となる面と宛先情報記載片１０の宛先情報印字領域１３が設けられた面との間に設けられていることになる。また、第１紙片部２１ａの折り畳み状態外側となる面には、遮光印刷層２３を覆ってその全面に粘着剤３０ｂが塗布されている。
【００１５】
このように構成された宛先情報記載片１０と隠蔽情報記載片２０とは、第１紙片部１１ａ，２１ａどうし、第２紙片部１１ｂ，２１ｂどうしがそれぞれ互いに重ね合わされるように粘着剤３０ａ，３０ｂによって貼着される。すなわち、第１紙片部１１ａ，２１ａにおいては宛先情報記載片１０と隠蔽情報記載片２０とが剥離可能に貼着され、第２紙片部１１ｂ，２１ｂにおいては宛先情報記載片１０と隠蔽情報記載片２０とが、人手では剥離することが困難に貼着されている。
【００１６】
以下に、上記のように構成された隠蔽はがきの作製方法について説明する。
【００１７】
まず、宛先情報記載片１０に対して、隠蔽はがきの送付先によらずに共通の情報のプレ印刷を施し、第１紙片部１１ａの一方の面に、料金別納を示す情報等を印刷して隠蔽はがきの送付先の住所や氏名等を示す宛先情報を印字するため宛先情報印字領域１３を設けるとともに、第１紙片部１１ａの他方の面に広告情報１４を印刷する。
【００１８】
また、隠蔽情報記載片２０については、その一方の面に、枠情報等のプレ印刷を施すことにより、隠蔽はがきの送付先に隠蔽状態にて通知する明細情報を印字するための明細情報印字領域２５を設け、また、他方の面においては、上述したような遮光性を有する塗料を塗工することにより遮光印刷層２３を設ける。
【００１９】
次に、宛先情報記載片１０の、第１紙片部１１ａのうち広告情報１４が印刷された面に粘着剤３０ｂを塗布するとともに、第２紙片部１１ｂのうち、粘着剤３０ｂが塗布された面に折り部１２を介して隣接する面に粘着剤３０ａを塗布する。なお、粘着剤３０ｂの塗布においては、宛先情報記載片１０に広告情報１４を印刷する前に行ってもよい。
【００２０】
また、隠蔽情報記載片２０については、明細情報印字領域２５が設けられた面の全面に粘着剤３０ｃを塗布する。なお、粘着剤３０ｃの塗布においては、隠蔽情報記載片２０に明細情報印字領域２５を設ける前に行ってもよい。
【００２１】
その後、宛先情報記載片１０と隠蔽情報記載片２０とを、宛先情報記載片１０の粘着剤３０ａ，３０ｂが塗布された面と隠蔽情報記載片２０の遮光印刷層２３が形成された面とが対向するように重ね合わせ、粘着剤３０ａ，３０ｂによって宛先情報記載片１０と隠蔽情報記載片２０とを貼着し、図１に示した隠蔽はがきを作製する。なお、宛先情報記載片１０及び隠蔽情報記載片２０に塗布された粘着剤３０ｂは、上述したように自己のみが貼着可能な自己貼着性を有するものであるため、宛先情報記載片１０及び隠蔽情報記載片２０に粘着剤３０ｂが塗布された後に宛先情報記載片１０と隠蔽情報記載片２０とが貼着される前の状態において、表面がべたついたり、他の物品等と接触してもそれと貼着されてしまったりすることがない。
【００２２】
以下に、上述した隠蔽はがきの使用方法について説明する。
【００２３】
まず、宛先情報記載片１０の宛先情報印字領域１３に、隠蔽はがきの送付先の住所や氏名等を示す宛先情報を印字するとともに、隠蔽情報記載片２０の明細情報印字領域２５に、隠蔽はがきの送付先に隠蔽状態にて通知する明細情報を印字する。なお、隠蔽情報記載片２０の明細情報印字領域２５においては、粘着剤３０ｃが塗布されているが、粘着剤３０ｃは隠蔽情報記載片２０に塗布された後でも隠蔽情報記載片２０に対して筆記性を持たせることができるものであるため、隠蔽情報記載片２０の明細情報印字領域２５に明細情報を印字することができる。このように、隠蔽はがきの送付先毎に異なる宛先情報と明細情報とを同一工程にて印字することにより、宛先情報と明細情報とのマッチングミスが生じることを回避することができる。また、隠蔽情報記載片２０に塗布された粘着剤３０ｃは、上述したように自己のみが貼着可能な自己貼着性を有するものであるため、隠蔽情報記載片２０に粘着剤３０ｃが塗布された後に隠蔽情報記載片２０の第１紙片部２１ａと第２紙片部２１ｂとが貼着される前の状態において、表面がべたついたり、他の物品等と接触してもそれと貼着されてしまったりすることがない。
【００２４】
次に、粘着剤３０ａ，３０ｂによって互いに貼着された宛先情報記載片１０と隠蔽情報記載片２０を、隠蔽情報記載片２０の明細情報印字領域２５が設けられて粘着剤３０ｃが塗布された面が内側となるように折り部１２，２２を介して折り畳み、加圧することにより、隠蔽情報記載片２０の第１紙片部２１ａと第２紙片部２１ｂとを貼着する。
【００２５】
このように隠蔽情報記載片２０の第１紙片部２１ａと第２紙片部２１ｂとが貼着された状態で隠蔽はがきが送付先に送付されることになる。
【００２６】
図４は、図１〜図３に示した隠蔽はがきの送付時の状態を示す図であり、（ａ）は宛先情報記載片１０の第１紙片部１１ａ側から見た図、（ｂ）は宛先情報記載片１０の第２紙片部１１ｂ側から見た図、（ｃ）は（ａ）に示したＡ−Ａ’断面図である。
【００２７】
上述した隠蔽はがきは、送付先への送付時においては、隠蔽情報記載片２０の明細情報印字領域２５が設けられた面が内側となるように宛先情報記載片１０と隠蔽情報記載片２０が折り部１２，２２を介して折り畳まれ、隠蔽情報記載片２０の第１紙片部２１ａと第２紙片部２１ｂとが貼着された状態となっている。
【００２８】
そのため、図４（ａ）に示すように、隠蔽はがきの一方の面側においては、宛先情報記載片１０の第１紙片部１１ａのみが表出し、それにより、宛先情報記載片１０の宛先情報印字領域１３に印字された宛先情報１３ａが外部から視認可能となっており、この宛先情報１３ａに従って隠蔽はがきが送付先に送付されることになる。この際、図４（ｃ）に示すように、表出した宛先情報記載片１０の第１紙片部１１ａと明細情報が印字された隠蔽情報記載片２０との間に遮光印刷層２３が介在しているため、宛先情報記載片１０の第１紙片部１１ａ側から透かして見られた場合であっても、宛先情報記載片１０の第１紙片部１１ａとは反対側、すなわち宛先情報記載片１０の第２紙片部１１ｂ側からの光が遮光印刷層２３によって遮られ、隠蔽情報記載片２０の明細情報印字領域２５に印字された明細情報が透かして見られてしまうことがない。また、宛先情報記載片１０の宛先情報１３ａが印字された面には、隠蔽情報記載片２０の明細情報印字領域２５に印字された明細情報が宛先情報記載片１０及び隠蔽情報記載片２０を透かして判読されてしまうことを不可能とするための地紋等が印刷されていないため、宛先情報１３ａが見にくくなってしまうことがない。
【００２９】
また、図４（ｂ）に示すように、隠蔽はがきの他方の面側においては、宛先情報記載片１０の第２紙片部１１ｂのみが表出する。この際、図４（ｃ）に示すように、表出した宛先情報記載片１０の第２紙片部１１ｂと明細情報が印字された隠蔽情報記載片２０との間に遮光印刷層２３が介在しているため、宛先情報記載片１０の第２紙片部１１ｂ側から透かして見られた場合であっても、宛先情報記載片１０の第２紙片部１１ｂとは反対側、すなわち宛先情報記載片１０の第１紙片部１１ａ側からの光が遮光印刷層２３によって遮られ、隠蔽情報記載片２０の明細情報印字領域２５に印字された明細情報が透かして見られてしまうことがない。
【００３０】
このように、図１〜図３に示した隠蔽はがきにおいては、隠蔽情報記載片２０の第１紙片部２１ａと第２紙片部２１ｂとが貼着された状態で送付されることにより、送付時においては、隠蔽情報記載片２０の明細情報印字領域２５に印字された明細情報が隠蔽され、さらに、明細情報印字領域２５に印字された明細情報が遮光印刷層２３によって挟まれた状態となっていることにより、この明細情報が透かして見られてしまうことがない。また、遮光印刷層２３が隠蔽情報記載片２０に設けられているため、宛先情報記載片１０側から見た場合に宛先情報記載片１０が黒ずみにくくなり、それによって宛先情報印字領域１３に印字された宛先情報１３ａが見にくくなってしまうことが回避される。このことは、遮光印刷層２３をスクリーン印刷によって形成した場合も同様の効果として得ることができる。
【００３１】
送付先に届けられた隠蔽はがきは、隠蔽情報記載片２０の第１紙片部２１ａと第２紙片部２１ｂとが剥離されて見開かれることになる。
【００３２】
図５は、図１〜図３に示した隠蔽はがきが見開かれた状態における見開き面を示す図である。
【００３３】
上述した隠蔽はがきが送付先に届けられると、隠蔽情報記載片２０の第１紙片部２１ａと第２紙片部２１ｂとが剥離される。隠蔽情報記載片２０の第１紙片部２１ａと第２紙片部２１ｂとを貼着している粘着剤３０ｃは、上述したように貼着後の剥離が可能なものであるため、互いに貼着された第１紙片部２１ａと第２紙片部２１ｂとを剥離することができる。
【００３４】
すると、図５に示すように、隠蔽情報記載片２０の明細情報印字領域２５に印字された明細情報２５ａが視認可能となり、隠蔽はがきの送付先において、明細情報２５ａが確認されることになる。
【００３５】
また、本形態においては、宛先情報記載片１０の第１紙片部１１ａと隠蔽情報記載片２０の第１紙片部２１ａとを剥離することにより、宛先情報記載片１０の第１紙片部１１ａに印刷された広告情報１４を隠蔽はがきの送付先に通知することができる。
【００３６】
図６は、図１〜図３に示した隠蔽はがきの宛先情報記載片１０の第１紙片部１１ａと隠蔽情報記載片２０の第１紙片部２１ａとを剥離した状態を示す図であり、（ａ）は剥離した面を示す図、（ｂ）は（ａ）に示したＡ−Ａ’断面図である。
【００３７】
図１〜図３に示した隠蔽はがきにおいては、宛先情報記載片１０の第１紙片部１１ａと隠蔽情報記載片２０の第１紙片部２１ａとが貼着後の剥離が可能な粘着剤３０ｂによって貼着されているため、隠蔽はがきの送付先において、宛先情報記載片１０の第１紙片部１１ａと隠蔽情報記載片２０の第１紙片部２１ａとを剥離することができる。
【００３８】
宛先情報記載片１０の第１紙片部１１ａと隠蔽情報記載片２０の第１紙片部２１ａとを剥離すると、図６に示すように、宛先情報記載片１０の第１紙片部１１ａに印刷された広告情報１４が表出し、この広告情報１４を隠蔽はがきの送付先に通知することができる。
【００３９】
（第２の実施の形態）
図７は、本発明の隠蔽シートの第２の実施の形態となる隠蔽はがきを示す図であり、（ａ）は積層構造を示す図、（ｂ）は（ａ）に示したＡ−Ａ’断面図である。図８は、図７に示した宛先情報記載片１１０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。図９は、図７に示した隠蔽情報記載片１２０の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【００４０】
本形態は図７に示すように、第１のシートである隠蔽情報記載片１２０と、第２のシートである宛先情報記載片１１０とが、粘着力が互いに異なる２種類の粘着剤１３０ａ，１３０ｂによって貼着されて構成されている。粘着剤１３０ａは、宛先情報記載片１１０と隠蔽情報記載片１２０とを貼着した後に人手によって剥離しようとした場合に、宛先情報記載片１１０や隠蔽情報記載片１２０に紙むけ等が生じる程度に強い粘着力を有するものであり、また、粘着剤１３０ｂは、圧力により自己のみが貼着可能な自己貼着性を有し、貼着後の剥離が可能なものである。
【００４１】
宛先情報記載片１１０は図７及び図８に示すように、第１紙片部１１１ａと第２紙片部１１１ｂとが折り部１１２を介して折り畳み可能に連接して構成されており、第１紙片部１１１ａの折り畳み状態外側となる面には、この隠蔽はがきの送付先の住所や氏名等を示す表示情報となる宛先情報を印字するため表示情報付与領域である宛先情報印字領域１１３が設けられており、第１紙片部１１１ａの折り畳み状態内側となる面には、外周を除く全面に第２の隠蔽構造となる遮光印刷層１１５が形成されているとともに、この遮光印刷層１１５を覆って全面に粘着剤１３０ａが塗布されている。遮光印刷層１２３は、第１の実施の形態に示したものと同様のものが用いられる。また、第２紙片部１１１ｂの折り畳み状態外側となる面には、第１紙片部１１１ａと第２紙片部１１１ｂとの連接方向に延びる２辺に沿う領域を除く全面に、地紋が印刷されることにより第１の隠蔽構造となる地紋印刷層１１４が形成されており、第２紙片部１１１ｂの折り畳み状態内側となる面には、この隠蔽はがきの送付先によらずに共通な広告情報１１６が掲載されるとともに、その全面に粘着剤１３０ｂが塗布されている。なお、折り部１１２はミシン目や折り線等によって構成される。
【００４２】
隠蔽情報記載片１２０は図７及び図９に示すように、第１紙片部１２１ａと第２紙片部１２１ｂとが折り部１２２を介して折り畳み可能に連接して構成されており、折り畳み状態内側となる面には、この隠蔽はがきの送付先に隠蔽状態にて通知する隠蔽情報となる明細情報を印字するための隠蔽情報付与領域となる明細情報印字領域１２５が設けられるとともに、その全面に圧力により自己のみが貼着可能な自己貼着性を有する粘着剤１３０ｃが塗布され、折り部１２２を介して折り畳んで加圧することにより第１紙片部１２１ａと第２紙片部１２１ｂとが互いに剥離可能に貼着される接着構造が形成されている。また、第２紙片部１２１ｂの折り畳み状態外側となる面には、この隠蔽はがきの送付先によらずに共通な広告情報１２４が掲載されるとともに、その全面に粘着剤１３０ｂが塗布されている。なお、折り部１２２はミシン目や折り線等によって構成される。
【００４３】
このように構成された宛先情報記載片１１０と隠蔽情報記載片１２０とは、第１紙片部１１１ａ，１２１ａどうし、第２紙片部どうし１１１ｂ，１２１ｂがそれぞれ互いに重ね合わされるように粘着剤１３０ａ，１３０ｂによって貼着される。すなわち、第１紙片部１１１ａ，１２１ａにおいては宛先情報記載片１１０と隠蔽情報記載片１２０とが、人手では剥離することが困難に貼着され、第２紙片部１１１ｂ，１２１ｂにおいては宛先情報記載片１１０と隠蔽情報記載片１２０とが剥離可能に貼着されている。それにより、第１の隠蔽構造となる地紋印刷層１１４が、第２紙片部１１１ｂ，１２１ｂにおいて隠蔽情報記載変１２０の折り畳み状態内側となる面よりも折り畳み状態外側に設けられ、また、第２の隠蔽構造となる遮光印刷層１１５が、第１紙片部１１１ａ，１２１ａにおいて隠蔽情報記載片１２０の折り畳み状態内側となる面と宛先情報記載片１１０の宛先情報印字領域１１３が設けられた面との間に設けられていることになる。
【００４４】
以下に、上記のように構成された隠蔽はがきの作製方法について説明する。
【００４５】
まず、宛先情報記載片１１０の一方の面に、料金別納を示す情報等の隠蔽はがきの送付先によらずに共通の情報のプレ印刷を施し、第１紙片部１１１ａに隠蔽はがきの送付先の住所や氏名等を示す宛先情報を印字するため宛先情報印字領域１１３を設けるとともに、第２紙片部１１１ｂに地紋を印刷することにより地紋印刷層１１４を設ける。また、他方の面についてもプレ印刷により第２紙片部１１１ｂに広告情報１１６を印刷するとともに、第１紙片部１１１ａに上述したような遮光性を有する塗料を塗工することにより遮光印刷層１１５を設ける。
【００４６】
また、隠蔽情報記載片１２０については、その一方の面に、枠情報等のプレ印刷を施すことにより、隠蔽はがきの送付先に隠蔽状態にて通知する明細情報を印字するための明細情報印字領域１２５を設け、また、他方の面においてもプレ印刷により第２紙片部１２１ｂに広告情報１２４を印刷する。
【００４７】
次に、宛先情報記載片１１０の、第１紙片部１１１ａの遮光印刷層１１５が設けられた面の全面に粘着剤１３０ａを塗布するとともに、第２紙片部１１１ｂの広告情報１１６が印刷された面の全面に粘着剤１３０ｂを塗布する。なお、粘着剤１３０ｂの塗布においては、宛先情報記載片１１０に広告情報１１６を印刷する前に行ってもよい。
【００４８】
また、隠蔽情報記載片１２０については、第２紙片部１２１ｂの広告情報１２４が印刷された面の全面に粘着剤１３０ｂを塗布するとともに、明細情報印字領域１２５が設けられた面の全面に粘着剤１３０ｃを塗布する。なお、粘着剤１３０ｂ，１３０ｃの塗布においては、隠蔽情報記載片１２０に広告情報１２４を印刷したり明細情報印字領域１２５を設けたりする前に行ってもよい。
【００４９】
その後、宛先情報記載片１１０と隠蔽情報記載片１２０とを、宛先情報記載片１１０の粘着剤１３０ａ，１３０ｂが塗布された面と、隠蔽情報記載片１２０の粘着剤１３０ｃが塗布された面とは反対側の面とが対向するように重ね合わせ、粘着剤１３０ａ，１３０ｂによって宛先情報記載片１１０と隠蔽情報記載片１２０とを貼着し、図７に示した隠蔽はがきを作製する。なお、宛先情報記載片１１０及び隠蔽情報記載片１２０に塗布された粘着剤１３０ｂは、上述したように自己のみが貼着可能な自己貼着性を有するものであるため、宛先情報記載片１１０及び隠蔽情報記載片１２０に粘着剤１３０ｂが塗布された後に宛先情報記載片１１０と隠蔽情報記載片１２０とが貼着される前の状態において、表面がべたついたり、他の物品等と接触してもそれと貼着されてしまったりすることがない。
【００５０】
以下に、上述した隠蔽はがきの使用方法について説明する。
【００５１】
まず、宛先情報記載片１１０の宛先情報印字領域１１３に、隠蔽はがきの送付先の住所や氏名等を示す宛先情報を印字するとともに、隠蔽情報記載片１２０の明細情報印字領域１２５に、隠蔽はがきの送付先に隠蔽状態にて通知する明細情報を印字する。なお、隠蔽情報記載片１２０の明細情報印字領域１２５においては、粘着剤１３０ｃが塗布されているが、粘着剤１３０ｃは隠蔽情報記載片１２０に塗布された後でも隠蔽情報記載片１２０に対して筆記性を持たせることができるものであるため、隠蔽情報記載片１２０の明細情報印字領域１２５に明細情報を印字することができる。このように、隠蔽はがきの送付先毎に異なる宛先情報と明細情報とを同一工程にて印字することにより、宛先情報と明細情報とのマッチングミスが生じることを回避することができる。また、隠蔽情報記載片１２０に塗布された粘着剤１３０ｃは、上述したように自己のみが貼着可能な自己貼着性を有するものであるため、隠蔽情報記載片１２０に粘着剤１３０ｃが塗布された後に隠蔽情報記載片１２０の第１紙片部１２１ａと第２紙片部１２１ｂとが貼着される前の状態において、表面がべたついたり、他の物品等と接触してもそれと貼着されてしまったりすることがない。
【００５２】
次に、粘着剤１３０ａ，１３０ｂによって互いに貼着された宛先情報記載片１１０と隠蔽情報記載片１２０を、隠蔽情報記載片１２０の明細情報印字領域１２５が設けられて粘着剤１３０ｃが塗布された面が内側となるように折り部１１２，１２２を介して折り畳み、加圧することにより、隠蔽情報記載片１２０の第１紙片部１２１ａと第２紙片部１２１ｂとを貼着する。
【００５３】
このように隠蔽情報記載片１２０の第１紙片部１２１ａと第２紙片部１２１ｂとが貼着された状態で隠蔽はがきが送付先に送付されることになる。
【００５４】
図１０は、図７〜図９に示した隠蔽はがきの送付時の状態を示す図であり、（ａ）は宛先情報記載片１１０の第１紙片部１１１ａ側から見た図、（ｂ）は宛先情報記載片１１０の第２紙片部１１１ｂ側から見た図、（ｃ）は（ａ）に示したＡ−Ａ’断面図である。
【００５５】
上述した隠蔽はがきは、送付先への送付時においては、隠蔽情報記載片１２０の明細情報印字領域１２５が設けられた面が内側となるように宛先情報記載片１１０と隠蔽情報記載片１２０が折り部１１２，１２２を介して折り畳まれ、隠蔽情報記載片１２０の第１紙片部１２１ａと第２紙片部１２１ｂとが貼着された状態となっている。
【００５６】
そのため、図１０（ａ）に示すように、隠蔽はがきの一方の面側においては、宛先情報記載片１１０の第１紙片部１１１ａのみが表出し、それにより、宛先情報記載片１１０の宛先情報印字領域１１３に印字された宛先情報１１３ａが外部から視認可能となっており、この宛先情報１１３ａに従って隠蔽はがきが送付先に送付されることになる。この際、図１０（ｃ）に示すように、表出した宛先情報記載片１１０の第１紙片部１１１ａと明細情報が印字された隠蔽情報記載片１２０との間に遮光印刷層１１５が介在しているため、宛先情報記載片１１０の第１紙片部１１１ａ側から透かして見られた場合であっても、宛先情報記載片１１０の第１紙片部１１１ａとは反対側、すなわち宛先情報記載片１１０の第２紙片部１１１ｂ側からの光が遮光印刷層１１５によって遮られ、隠蔽情報記載片１２０の明細情報印字領域１２５に印字された明細情報が透かして見られてしまうことがない。また、宛先情報記載片１１０の宛先情報１１３ａが印字された面には、隠蔽情報記載片１２０の明細情報印字領域１２５に印字された明細情報が宛先情報記載片１１０及び隠蔽情報記載片１２０を透かして判読されてしまうことを不可能とするための地紋等が印刷されていないため、宛先情報１１３ａが見にくくなってしまうことがない。
【００５７】
また、図１０（ｂ）に示すように、隠蔽はがきの他方の面側においては、宛先情報記載片１１０の第２紙片部１１１ｂのみが表出する。この宛先情報記載片１１０の第２紙片部１１１ｂには、地紋が印刷されることにより地紋印刷層１１４が形成されているため、宛先情報記載片１１０の第２紙片部１１１ｂ側から透かして見られた場合であっても、隠蔽情報記載片１２０の明細情報印字領域１２５に印字された明細情報が透かして見られてしまうことがない。
【００５８】
このように、図７〜図９に示した隠蔽はがきにおいては、隠蔽情報記載片１２０の第１紙片部１２１ａと第２紙片部１２１ｂとが貼着された状態で送付されることにより、送付時においては、隠蔽情報記載片１２０の明細情報印字領域１２５に印字された明細情報が隠蔽され、さらに、明細情報印字領域１２５に印字された明細情報が遮光印刷層１１５と地紋印刷層１１４とに挟まれた状態となっていることにより、この明細情報が透かして見られてしまうことがない。
【００５９】
送付先に届けられた隠蔽はがきは、隠蔽情報記載片１２０の第１紙片部１２１ａと第２紙片部１２１ｂとが剥離されて見開かれることになる。
【００６０】
図１１は、図７〜図９に示した隠蔽はがきが見開かれた状態における見開き面を示す図である。
【００６１】
上述した隠蔽はがきが送付先に届けられると、隠蔽情報記載片１２０の第１紙片部１２１ａと第２紙片部１２１ｂとが剥離される。隠蔽情報記載片１２０の第１紙片部１２１ａと第２紙片部１２１ｂとを貼着している粘着剤１３０ｃは、上述したように貼着後の剥離が可能なものであるため、互いに貼着された第１紙片部１２１ａと第２紙片部１２１ｂとを剥離することができる。
【００６２】
すると、図１１に示すように、隠蔽情報記載片１２０の明細情報印字領域１２５に印字された明細情報１２５ａが視認可能となり、隠蔽はがきの送付先において、明細情報１２５ａが確認されることになる。
【００６３】
また、本形態においては、宛先情報記載片１１０の第２紙片部１１１ｂと隠蔽情報記載片１２０の第２紙片部１２１ｂとを剥離することにより、宛先情報記載片１１０の第２紙片部１１１ｂに印刷された広告情報１１６と隠蔽情報記載片１２０の第２紙片部１２１ｂに印刷された広告情報１２４を隠蔽はがきの送付先に通知することができる。
【００６４】
図１２は、図７〜図９に示した隠蔽はがきの宛先情報記載片１１０の第２紙片部１１１ｂと隠蔽情報記載片１２０の第２紙片部１２１ｂとを剥離した状態を示す図であり、（ａ）は剥離した面を示す図、（ｂ）は（ａ）に示したＡ−Ａ’断面図である。
【００６５】
図７〜図９に示した隠蔽はがきにおいては、宛先情報記載片１１０の第２紙片部１１１ｂと隠蔽情報記載片１２０の第２紙片部１２１ｂとが貼着後の剥離が可能な粘着剤１３０ｂによって貼着されているため、隠蔽はがきの送付先において、宛先情報記載片１１０の第２紙片部１１１ｂと隠蔽情報記載片１２０の第２紙片部１２１ｂとを剥離することができる。
【００６６】
宛先情報記載片１１０の第２紙片部１１１ｂと隠蔽情報記載片１２０の第２紙片部１２１ｂとを剥離すると、図１２に示すように、宛先情報記載片１１０の第２紙片部１１１ｂに印刷された広告情報１１６と隠蔽情報記載片１２０の第２紙片部１２１ｂに印刷された広告情報１２４が表出し、これらの広告情報１１６，１２４を隠蔽はがきの送付先に通知することができる。
【００６７】
なお、本形態においては、地紋印刷層１１４が、隠蔽情報記載片１２０の第２紙片部１１１ｂの第１紙片部１１１ａと第２紙片部１１１ｂとの連接方向に延びる２辺に沿う領域を除く全面に形成されているが、宛先情報記載片１１０の第２紙片部１１１ｂの折り畳み状態外側となる面の全面に形成してもよい。
【００６８】
また、上述した２つの実施の形態において、隠蔽構造として、遮光印刷層２３，１１５の代わりに地紋が印刷された地紋印刷層を用いたり、地紋印刷層１１４の代わりに遮光性を有する塗料が塗工された遮光印刷層を用いたりすることも考えられる。また、隠蔽はがきの送付先によらずに共通の広告情報を用いて隠蔽構造を構成することも考えられる。その場合、第１紙片部１１ａ，２１ａ，１１１ａ，１２１ａと第２紙片部１１ｂ，２１ｂ，１１１ｂ，１２１ｂのうち宛先情報記載片１０，１１０と隠蔽情報記載片２０，１２０とを剥離可能に貼着している側の貼着面に広告情報を印刷しておくだけで、上述したような明細情報の隠蔽効果を得ることができる。
【００６９】
また、宛先情報１３ａ，１１３ａや明細情報２５ａ，１２５ａが印字によって宛先情報印字領域１３，１１３や明細情報印字領域２５，１２５に付与されているが、記入によって付与される構成であってもよい。
【００７０】
また、遮光印刷層２３，１１５は、隠蔽情報記載片２０あるいは宛先情報記載片１１０の第１紙片部１１１ａの一方の面の周囲を除く全面に設けられているが、隠蔽情報記載片２０あるいは宛先情報記載片１１０の第１紙片部１１１ａの一方の面の全面に設けた構成としてもよい。ただし、遮光印刷層２３，１１５を、隠蔽情報記載片２０あるいは宛先情報記載片１１０の第１紙片部１１１ａの一方の面の周囲を除く全面に設けた方が、隠蔽情報記載片２０あるいは宛先情報記載片１１０の第１紙片部１１１ａの一方の面の周囲においては、宛先情報記載片１０，１１０と隠蔽情報記載片２０，１２０とが粘着剤３０ａ，３０ｂ，１３０ａを介して直接貼着されることになり、宛先情報記載片１０，１１０と隠蔽情報記載片２０，１２０との貼着力を高めることができる。
【００７１】
また、上述した２つの実施の形態においては、宛先情報記載片１０，１１０と隠蔽情報記載片２０，１２０とを貼着する２種類の粘着剤３０ａ，３０ｂ，１３０ａ，１３０ｂのうち粘着力が弱い粘着剤３０ａ，１３０ａが宛先情報記載片１０，１１０に塗布されているが、隠蔽情報記載片２０，１２０の宛先情報記載片１０，１１０との貼着面に塗布してもよい。
【００７２】
また、隠蔽情報記載片２０，１２０の折り畳み状態内側となる面に、圧力により自己のみが貼着可能な自己貼着性を有する粘着剤３０ｃ，１３０ｃを塗布することにより、隠蔽情報記載片２０，１２０の第１紙片部２１ａ，１２１ａと第２紙片部２１ｂ，１２１ｂとを剥離可能に貼着する構成としているが、互いに剥離可能に貼着された２層のフィルム層を有する擬似接着構造を隠蔽情報記載片２０，１２０の第１紙片部２１ａ，１２１ａと第２紙片部２１ｂ，１２１ｂのうちいずれか一方に設けたり、粘着力が弱いことにより貼着後の剥離が可能となる粘着剤を塗布したり、隠蔽情報記載片２０，１２０の第１紙片部２１ａ，１２１ａと第２紙片部２１ｂ，１２１ｂのうちいずれか一方にニス等の剥離剤を塗布したりすることにより、剥離可能な接着構造を設けてもよい。
【図面の簡単な説明】
【００７３】
【図１】本発明の隠蔽シートの第１の実施の形態となる隠蔽はがきを示す図であり、（ａ）は積層構造を示す図、（ｂ）は（ａ）に示したＡ−Ａ’断面図である。
【図２】図１に示した宛先情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図３】図１に示した隠蔽情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図４】図１〜図３に示した隠蔽はがきの送付時の状態を示す図であり、（ａ）は宛先情報記載片の第１紙片部側から見た図、（ｂ）は宛先情報記載片の第２紙片部側から見た図、（ｃ）は（ａ）に示したＡ−Ａ’断面図である。
【図５】図１〜図３に示した隠蔽はがきが見開かれた状態における見開き面を示す図である。
【図６】図１〜図３に示した隠蔽はがきの宛先情報記載片の第１紙片部と隠蔽情報記載片の第１紙片部とを剥離した状態を示す図であり、（ａ）は剥離した面を示す図、（ｂ）は（ａ）に示したＡ−Ａ’断面図である。
【図７】本発明の隠蔽シートの第２の実施の形態となる隠蔽はがきを示す図であり、（ａ）は積層構造を示す図、（ｂ）は（ａ）に示したＡ−Ａ’断面図である。
【図８】図７に示した宛先情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図９】図７に示した隠蔽情報記載片の構成を示す図であり、（ａ）は折り畳み状態外側となる面の構成を示す図、（ｂ）は折り畳み状態内側となる面の構成を示す図、（ｃ）は（ａ）に示したＡ−Ａ’断面図である。
【図１０】図７〜図９に示した隠蔽はがきの送付時の状態を示す図であり、（ａ）は宛先情報記載片の第１紙片部側から見た図、（ｂ）は宛先情報記載片の第２紙片部側から見た図、（ｃ）は（ａ）に示したＡ−Ａ’断面図である。
【図１１】図７〜図９に示した隠蔽はがきが見開かれた状態における見開き面を示す図である。
【図１２】図７〜図９に示した隠蔽はがきの宛先情報記載片の第２紙片部と隠蔽情報記載片の第２紙片部とを剥離した状態を示す図であり、（ａ）は剥離した面を示す図、（ｂ）は（ａ）に示したＡ−Ａ’断面図である。
【符号の説明】
【００７４】
１０，１１０    宛先情報記載片
１１ａ，２１ａ，１１１ａ，１２１ａ    第１紙片部
１１ｂ，２１ｂ，１１１ｂ，１２１ｂ    第２紙片部
１２，２２，１１２，１２２    折り部
１３，１１３    宛先情報印字領域
１４，１１６，１２４    広告情報
１３ａ，１１３ａ    宛先情報
２０，１２０    隠蔽情報記載片
２３，１１５    遮光印刷層
２５，１２５    明細情報印字領域
２５ａ，１２５ａ    明細情報
３０ａ，３０ｂ，３０ｃ，１３０ａ，１３０ｂ，１３０ｃ    粘着剤
１１４    地紋印刷層
【図１】
2008055678.tif 000003
【図２】
2008055678.tif 000004
【図３】
2008055678.tif 000005
【図４】
2008055678.tif 000006
【図５】
2008055678.tif 000007
【図６】
2008055678.tif 000008
【図７】
2008055678.tif 000009
【図８】
2008055678.tif 000010
【図９】
2008055678.tif 000011
【図１０】
2008055678.tif 000012
【図１１】
2008055678.tif 000013
【図１２】
2008055678.tif 000014